(57)【要約】      （修正有）【課題】より低コストで確実に路線に関係する店舗の宣伝広告情報を提供できるようにしたシステムを提供する。【解決手段】既定ルートを運行する旅客輸送手段であるバス６に設けられる表示装置４を用いて店舗の広告情報を出力する広告システム１において、広告依頼主の店舗の広告情報と当該店舗の所在地を記憶させる記憶部３２と、当該店舗の所在地から近傍の停留所を特定し、当該停留所を運行ルートとするバス６の停留所間で前記店舗の広告情報を出力させる出力装置４２を備える。【選択図】図１
2008145719.tif 000002
【特許請求の範囲】
【請求項１】
既定ルートを運行する旅客輸送手段に設けられる表示装置を用いて店舗の広告情報を出力する広告システムにおいて、
各停留所の発着時刻のタイミングに基づき、旅客輸送手段が隣接する停留所を移動する時間内に、当該停留所間に存在する店舗の広告情報を出力させるようにしたことを特徴とする広告システム。
【請求項２】
既定ルートを運行する旅客輸送手段に設けられる表示装置を用いて店舗の広告情報を出力する広告システムにおいて、
各停留所を移動する運行スケジュールを記憶させ、当該運行スケジュールに基づいて、旅客輸送手段が隣接する停留所を移動する時間内に、当該停留所間に存在する店舗の広告情報を出力させるようにしたことを特徴とする広告システム。
【請求項３】
既定ルートを運行する旅客輸送手段に設けられる表示装置を用いて店舗の広告情報を出力する広告システムにおいて、
広告依頼主の店舗の広告情報と当該店舗の所在地を記憶させる記憶部と、
当該店舗の所在地から近傍の停留所を特定し、当該停留所を運行ルートとする旅客輸送手段の停留所間で前記店舗の広告情報を出力させる出力装置を備えたことを特徴とする広告システム。
【請求項４】
既定ルートを運行する旅客輸送手段に設けられる表示装置を用いて店舗の広告情報を出力する広告システムにおいて、
広告依頼主の店舗の広告情報と当該店舗の所在地を記憶させる記憶部と、当該店舗の所在地から当該店舗を挟む２つの停留所を検索する停留所検索部と、当該２つの停留所を運行ルートとする旅客輸送手段の種類を抽出する種類抽出部と、当該抽出された旅客輸送手段における前記２つの停留所間で前記店舗の広告情報を出力させる出力装置を備えたことを特徴とする広告システム。
【請求項５】
前記停留所検索部が、最も近い停留所と次に近い停留所を検索するものであり、前記出力装置が、前記２つの停留所間で最も近い停留所から順に広告情報を出力するものである請求項４に記載の広告システム。
【発明の詳細な説明】
【技術分野】
【０００１】
本発明は、バスや路面電車、電車などの車内などにおいて、路線近傍の店舗の広告情報を出力できるようにした広告システムに関するものである。
【背景技術】
【０００２】
一般に、各市町村などのバスでは、ポスターによる広告や音声案内による広告案内が行われている。このうちポスターによる広告では、車内の側壁や天井に貼り付けられるポスター、あるいは、吊革に取り付けられる印刷広告、座席カバーの背面に差し込むように取り付けられる紙広告などが使用されている。また、音声案内による広告では、バスが停留所に近付いた場合に「次は、（Ａ停留所）です。（Ｂ店舗）にお越しの方は次でお降り下さい。」などといった案内広告が行われている。通常、ポスターを用いた紙媒体による広告では、情報が静的なものであるため、バスの現在位置とは余り関係のない店舗の宣伝広告が掲載されることがある。また、停留所付近で案内される音声広告では、その停留所付近における店舗にとっては宣伝広告効果が上がるものの、停留所付近ではせいぜい１〜２店舗の広告案内しか行うことはできないため、停留所間における他の店舗の広告案内を行うことができない。
【０００３】
一方、バスの運行ルート周辺に存在する店舗の広告案内を出力できるようにした広告システムも提案されている。
【０００４】
例えば、下記の特許文献１（特開２００５−３５３０５４号公報）には、バスの車内に設けられたディスプレイに宣伝広告を行うシステムに関するものであって、宣伝広告の管理を行う管理会社と、その管理会社とバスとの間で通信を行う衛星通信回線網を備えたシステムが提案されている。このシステムで、店舗の宣伝広告を行う場合、まず、ＧＰＳを用いてバスの位置を検出し、そのバスの存在する位置に関連する店舗の宣伝広告情報を管理会社のコンピューターから読み出す。そして、衛星通信回線を介してその宣伝広告情報をバスの表示装置に出力させるようにしたものである。このようなシステムによれば、バスの運行時間帯や走行区間に応じて広告を行うことができるため、運行ルート近傍に存在する店舗の広告を行うことができ、広告効果を高めることができるようになる。
【特許文献１】特開２００５−３５３０５４号公報
【発明の開示】
【発明が解決しようとする課題】
【０００５】
しかしながら、このようなシステムで広告を行う場合、ＧＰＳを用いた位置検索や、衛星通信を用いたデーターの配信などを行う必要があるため、システムが大掛かりなものとなりコスト高なものとなる。また、路線が複雑になっている大都市などにおいては、停留所間の所要時間が平均１〜３分程度となっており、その間にバスの位置検索や宣伝情報の配信などを行わなければない。このため、位置検索の遅れや、衛生通信を介した通信の遅れによって広告案内を行うことができなくなるといった問題を生ずる可能性が高い。
【０００６】
そこで、本発明は上記課題に着目してなされたもので、より低コストで確実に路線に関係する店舗の宣伝広告情報を提供できるようにしたシステムを提供することを目的とするものである。
【課題を解決するための手段】
【０００７】
すなわち、本発明は上記課題を達成するために、既定ルートを運行する旅客輸送手段に設けられる表示装置を用いて店舗の広告情報を出力する広告システムにおいて、各停留所の発着時刻のタイミングに基づき、旅客輸送手段が隣接する停留所を移動する時間内に、当該停留所間に存在する店舗の広告情報を出力させるようにしたものである。
【０００８】
また、このような発明において、各停留所を移動する運行スケジュールを記憶させ、当該運行スケジュールに基づいて、旅客輸送手段が隣接する停留所を移動する時間内に、当該停留所間に存在する店舗の広告情報を出力させるようにする。
【０００９】
また、広告依頼主の店舗の広告情報と当該店舗の所在地を記憶させる記憶部と、当該店舗の所在地から近傍の停留所を特定し、当該停留所を運行ルートとする旅客輸送手段の停留所間で前記店舗の広告情報を出力させる出力装置を備えるようにする。
【００１０】
このように構成すれば、運行スケジュールやバスが停留所に接近する情報、あるいは、車掌によるバスの発車タイミングボタンの操作などに基づき、旅客輸送手段が店舗に近付くタイミングでその店舗の広告情報を出力させることができ、簡単かつ低コストに宣伝広告のためのシステムを実現できるようになる。
【００１１】
また、このようなシステムにおいて、広告依頼主の店舗の広告情報と当該店舗の所在地を記憶させる記憶部と、当該店舗の所在地から当該店舗を挟む２つの停留所を検索する停留所検索部と、当該２つの停留所を運行ルートとする旅客輸送手段の種類を抽出する種類抽出部と、当該抽出された旅客輸送手段における前記２つの停留所間で前記店舗の広告情報を出力させる出力装置を備えるようにする。
【００１２】
このようにすれば、固定的な停留所の位置から店舗の広告情報を出力する位置を特定することができるため、簡単かつ確実な方法で広告出力する場所を特定することができる。また、その店舗を挟む２つの停留所間において広告情報を出力するようにしたので、先の停留所から経路が逸れてしまう旅客輸送手段に対しても広告案内を出してしまうなどといった問題がなくなり、確実にその近傍を通過する旅客輸送手段で広告を出すことができるようになる。
【００１３】
さらに、停留所を検索する場合、最も近い停留所と次に近い停留所を検索し、これら２つの停留所間で最も近い停留所から順に広告情報を出力する。
【００１４】
このようにすれば、店舗の位置と広告情報を出力するタイミングをほぼ一致させることができ、より簡単な方法でタイミングよく広告情報を出力させることができるようになる。
【発明の効果】
【００１５】
本発明によれば、運行スケジュールやバスが停留所に接近する情報、あるいは、車掌によるバスの発車タイミングボタンの操作などに基づいて旅客輸送手段が店舗に近付くタイミングでその店舗の広告情報を出力させることができ、簡単かつ低コストに宣伝広告のためのシステムを実現することができるようになる。
【発明を実施するための最良の形態】
【００１６】
以下、本発明の一実施の形態について図面を参照して説明する。図１は、この実施の形態における広告システム１の概要図を示したものであり、インターネット５を介して接続されるクライアントコンピューター２及び管理コンピューター３と、旅客輸送手段に搭載される表示装置４とを具備してなる広告システム１を示したものである。また、図２は、クライアントコンピューター２と、この広告システム１である管理コンピューター３と表示装置４の機能ブロックを示したものである。なお、この実施の形態において、旅客輸送手段の例として市町村の路線を運行するバス６を挙げて説明するが、このようなバス６だけでなく、既定のルートを運行スケジュールに従って運行する路面電車やタクシーなどにも適用することができる。また、この実施の形態におけるバス６に対応して、旅客輸送手段の停留所としてバス停を例に挙げて説明するが、路面電車などに適用する場合は駅が停留所となる。以下、本実施の形態における広告システム１について詳細に説明する。
【００１７】
この実施の形態における広告システム１は、広告依頼主側に設けられるクライアントコンピューター２に接続される管理コンピューター３と、この管理コンピューター３から出力された広告情報を表示させる表示装置４とを設けてなる。この管理コンピューター３は、バス６の運行や広告依頼などの管理を行うもので、夜間に多くのバス６が納車する車庫やバス会社の管理センターなどに設けられる。また、この管理コンピューター３に対応して設けられる表示装置４は、バス６の車内や車外などに設けられる。
【００１８】
この広告システム１に利用されるクライアントコンピューター２は、広告依頼主側に設けられるものであって、インターネット５に接続可能な汎用のパーソナルコンピューターなどによって構成される。なお、このクライアントコンピューター２は、パーソナルコンピューターだけでなく、携帯可能なコンピューターとしてＰＤＡや携帯電話などによって構成することも可能である。このクライアントコンピューター２は、図２に示すように、広告依頼主からの広告情報の入力を受け付ける入力部２１や、表示部２２に表示された画面に従って入力された広告情報を管理コンピューター３に送信するための通信部２３を備えている。
【００１９】
このクライアントコンピューター２を用いて広告依頼主が広告情報を入力する場合、まず、自己のクライアントコンピューター２にインストールされた文書作成ソフトや映像作成ソフトを用いて画像やテキスト、映像を含む広告情報を作成し、その作成した広告情報を通信部２３を介して管理コンピューター３に送信する。管理コンピューター３に広告情報を送信する場合、広告依頼主は、まず、管理コンピューター３にアクセスして図３に示すような広告情報を受け付けるためのホームページを表示させ、その画面に従って広告依頼のための入力を行う。このホームページには、広告依頼主の主体を特定するための情報として、広告依頼主の店名、担当者名、電話、ＦＡＸ、メールアドレス、住所などを受け付けられるようになっており、また、広告情報を受け付ける際の注意事項などが記載されている。この注意事項としては、例えば、広告を表示させる制限時間（例えば、１５秒など）や、公序良俗に反する広告情報の掲載の禁止事項などである。また、この留意事項に対応して「同意する」「同意しない」の入力欄が設けられており、「同意する」の欄にチェックが入力されることによって、作成した広告情報を添付するためのボタンを表示させる。そして、このボタンのクリックを受け付けることによって、その広告情報を格納した場所から広告情報のファイルを読み出し、添付ファイルを管理コンピューター３に送信する。
【００２０】
この管理コンピューター３は、クライアントコンピューター２からの広告情報の入力を受け付けるもので、複数のバス６が停車する車庫などに設けられる。なお、大都市などにおいては車庫が多いため、管理コンピューター３が多く散在してしまって広告依頼主からの窓口を一本化することができない。このため、この管理コンピューター３の上位にサーバーコンピューターを設けておき、そのサーバーコンピューターを管理コンピューター３として機能させるようにしてもよい。この場合、サーバーコンピューターとその下位に設けられる管理コンピューター３が本発明における管理コンピューター３として機能する。
【００２１】
この管理コンピューター３は、汎用のパーソナルコンピューターなどによって構成されるもので、クライアントコンピューター２から広告依頼を受け付けるためのホームページを提供して広告情報の受け付けを行う広告受付部３１と、クライアントコンピューター２から送信されてきた広告情報を格納する記憶部３２とを備える。そして、この記憶部３２に格納された広告依頼主からの情報のうち、広告依頼主の住所から、その広告依頼主の店舗の近傍に存在する停留所を停留所検索部３３によって検索し、この検索された停留所からその停留所を通過するバス６の種類（例えば、第○番系統などの種類）を種類抽出部３４によって抽出する。
【００２２】
停留所検索部３３によって近傍の停留所を検索する場合、各停留所の位置（例えば、経度緯度）などを記憶部３２に格納させておき、また、広告依頼主の住所から、その店舗の経度緯度などの座標を抽出する。この経度緯度の抽出は、インターネット上における地図検索サイトなどで住所を入力することによって得られる。そして、これらの経度緯度から各停留所までの距離を計算し、最も近い停留所とその次に近い停留所の２つの停留所を抽出する。この２つの停留所を抽出するのは、これら２つの停留所を通過するバス６の種類を特定できるようにするためであり、また、最も近い停留所とその次に近い停留所を抽出しておくようにしておくのは、それぞれの停留所間において広告情報を出力する順序を決められるようにするためである。
【００２３】
種類抽出部３４は、この停留所検索部３３によって検索された２つの停留所を通過するバス６の種類を抽出する。この抽出に際しては、あらかじめ、バス６の種類毎に通過する停留所を記憶部３２に記憶させておき、これら２つの停留所を連続して通過するバス６の種類を抽出する。この際、連続して停車する２つの停留所を検索するようにしたので、例えば、図４に示すように、隣り合う２つの停留所であっても、バス６がある停留所から他のルートに逸れてしまい、その店舗の近傍を通らない可能性があるためである。なお、図４において、Ａはバス６の停留所を示しており、Ｂは広告依頼を行っている店舗を示している。また、実線は各系統のバス６の路線を示している。図４において、第１系統のバス６は、停留所Ａ１〜Ａ４を停車し、その間、店舗Ｂ１〜Ｂ４の近傍を通過する。また、第二系統のバス６は、停留所Ａ１、Ａ２を停車し、そこから右折して、停留所Ａ５、Ａ６、Ａ３、Ａ７を停車する。その間、第二系統のバス６は、店舗Ｂ１、Ｂ２、Ｂ５〜Ｂ７の近くを通過する。同様に、第三系統のバス６は、停留所Ａ１〜Ａ３に停車し、その後、Ａ３から右折して停留所Ａ６を通過していく。その間、第三系統のバス６は、店舗Ｂ１〜Ｂ３、Ｂ６を通過する。このような運行ルートにおいて、例えば、店舗Ｂ１から広告依頼があった場合、停留所検索部３３によって近くの２つの停留所Ａ１とＡ２を抽出し、その停留所Ａ１とＡ２を通過する系統のバス６として、「第一系統」「第二系統」「第三系統」のバス６を抽出する。また、店舗Ｂ３から広告依頼があった場合、停留所検索部３３によって２つの停留所Ａ２とＡ３を抽出し、その停留所を通過する系統のバス６として、「第一系統」「第三系統」のバス６を抽出する。なお、ここで、停留所検索部３３によって最寄りの停留所のみを抽出してその次に近い停留所を抽出しなかった場合、停留所Ａ２のみが抽出されることになるが、停留所Ａ２を停車するバス６としては「第二系統」のバス６も存在することになる。しかしながら、「第二系統」のバス６は停留所Ａ２から右折してしまうため、運行ルートとは無関係な店舗の広告情報が表示されることになる。そのため、この実施の形態では、２つの停留所を通過するバス６の種類を抽出し、そのバス６に広告情報を表示させるようにしている。以下、同様に、他の店舗Ｂについても、その店舗近くの２つの停留所を通過するバス６の種類を抽出し、記憶部３２に記憶させておく。また、種類抽出部３４によってその店舗を通過するバス６の種類が抽出された場合、その店舗に対して抽出されたバス６の種類の総数を記憶部３２に記憶させておく。この総数を記憶させておくのは、後に、広告情報を出力するバス６の総数に比例して広告料金を徴収できるようにするためである。
【００２４】
出力部３５は、記憶部３２に格納された広告情報をバス６の種類毎に抽出し、また、記憶部３２にあらかじめ格納しているバス６の運行スケジュールを表示装置４の出力装置４２もしくは記憶媒体４３に出力する。これらの情報を管理コンピューター３から出力装置４２に出力する場合、無線ＬＡＮを用いて出力を行うか、あるいは、その出力装置４２に取り入れられる記憶媒体４３に出力する場合は、表示装置４のディスプレイ４１から出力装置４２や記憶媒体４３を取り外し、これを管理コンピューター３に接続することによって情報の出力を行う。この出力装置４２もしくは記憶媒体４３に記憶された情報を図５を用いて説明すると、バス６の系統毎に、停留所や発車時刻などの運行スケジュールが記憶され、また、停留所毎にその停留所から次の停留所までに出力されるべき店舗の識別情報がその記憶媒体４３に記憶される。この識別情報の記憶に際しては、出発基となる停留所に近い側の店舗から順に記憶される。また、この運行スケジュールに対応して、別の記憶領域に店舗毎の広告情報が記憶され、店舗の識別情報に対応してこの広告情報が読み出されて出力される。
【００２５】
バス６に設けられる表示装置４は、ディスプレイ４１と出力装置４２とを備えてなるもので、そのバス６の運行スケジュールに従って広告情報を読み出し、ディスプレイ４１に表示出力する。このディスプレイ４１は、液晶ディプレイやプラズマディスプレイ、有機ＥＬなどによって構成され、バス６の車内、あるいは、バス６の側面や後部面の外側に設けられる。この表示装置４には、タイマーが設けられており、そのタイマーが計時する時刻とバス６の運行スケジュールを照らし合わして、停留所の発車時刻に合わせて店舗の広告情報を出力する。すなわち、運行スケジュールによって第一系統のバス６が停留所Ａ１に停車する時刻をTimeＡ１とした場合、その停車時刻TimeＡ１から少し遅れた時刻で広告情報を読み出し、順次停留所Ａ１に近い店舗から表示出力を行う。なお、ここでは運行スケジュールに従って広告情報を読み出すようにしているが、運転手による操作によって広告情報を出力させるようにしてもよい。通常、バス６が停留所を発車する場合、運転手は案内装置のボタンを操作することによって次の停留所の音声案内や表示案内を出力させるが、この案内装置の操作に連動して店舗の広告情報を出力させるようにしてもよい。この場合、案内装置の操作が行われることにより、その操作を検出して停留所間の広告情報を順次出力していく。
【００２６】
次に、このように構成された広告システム１における広告依頼からバス６の広告表示までのフローチャートを図６や図７を用いて説明する。
【００２７】
まず、広告依頼主が自己の店舗の広告情報をバス会社に依頼する場合、自己のクライアントコンピューター２をインターネット５を介して管理コンピューター３に接続し、広告情報入力のためのホームページを表示させる（ステップＳ１）。そして、その画面に表示された主体を入力させるための項目に、店名、担当者名、電話、ＦＡＸ、メールアドレス、住所などの入力を受け付け、また、広告情報の注意事項欄のチェックボックスに「同意」の入力を受け付けた後（ステップＳ２）、あらかじめワードやパワーポイント、映像ソフトなどで作成した広告情報を添付ファイルとして管理サーバーに送信する（ステップＳ３）。
【００２８】
管理コンピューター３がこれらの情報を受信すると（ステップＴ１）、受信した情報を一旦記憶部３２に格納し（ステップＴ２）、これらの情報の中から住所情報を読み出してその店舗の経度緯度などの座標情報を検索する。そして、あらかじめ記憶部３２に格納されていた停留所の座標情報の中から最も近い停留所と次に近い停留所を抽出し（ステップＴ３）、これら２つの停留所を運行ルートとするバス６の種類を検索する（ステップＴ４）。そして、各店舗について２つの停留所とバス６の種類を設定して記憶部３２に格納させる（ステップＴ５）とともに、同様の処理をすべての店舗について行う（ステップＴ６）。
【００２９】
そして、例えば、バス６の運行時間が終了した後などのように区切りのよい時間帯に、車庫に停車しているバス６から表示装置４の出力装置４２やその出力装置４２に装着されていた記憶媒体４３を取り出し、管理コンピューター３に接続して各バス６の種類毎にバス６の運行スケジュールと停留所間に出力する広告情報を記憶させる（ステップＴ７）。
【００３０】
この出力装置４２や記憶媒体４３が表示装置４に接続されると（ステップＵ１）、表示装置４は、タイマーで計時された時刻と運行スケジュールを照らし合わし、現在時刻が２つの停留所間の時刻になった場合に（ステップＵ２）、その停留所間で出力されるべき広告情報を順次出力していく（ステップＵ３）。
【００３１】
もしくは、運転手の操作によって広告情報を出力する場合は、同様に、出力装置４２や記憶媒体４３を表示装置４に接続し（ステップＵ１）、運転手による操作装置の操作を検出する（ステップＵ４）。そして、操作装置の操作が検出されると、その発車基となる停留所と次の停留所間において出力されるべき広告情報を順次読み出して出力する（ステップＵ３）。
【００３２】
このようにシステムを構成すれば、バス６が店舗に近付いたタイミングでその店舗の広告情報を出力させることができるため、乗客にその店舗の広告情報をタイミングよく知らせることができるようになる。しかもこの広告システム１では、停留所間において発車基となる停留所に近い方から順次広告を出力するので、店舗の位置と広告タイミングをほぼ一致させることができ、ＧＰＳなどのような高価なシステムを用いることなく、ほぼ正確な位置で広告情報を出力することができるようになる。
【００３３】
なお、上記実施の形態においては、運行ルートに隣接する店舗の広告情報を出力する場合を想定しているが、実際には、運行ルートからかなり離れた場所の店舗から広告依頼を受ける場合がある。このような場合は、停留所検索部３３において、まず、一定の距離以上離れている店舗であるか否かを検出し、一定以上離れている場合は、近くの停留所を抽出することなく、その店舗の情報を遠方店舗の広告情報として記憶部３２に格納しておく。そして、バス６の表示装置４で広告情報を出力する場合において、他の近隣店舗の広告で余った時間などにその遠方店舗の広告情報を出力する。
【００３４】
また、上記実施の形態においては、クライアントコンピューター２からインターネット５を介して広告情報を受け付ける場合について説明したが、これに限らず、広告依頼主から広告情報を記述したワードやパワーポイント、映像ファイルなどを直接受け取り、これを表示装置４に出力させるようにしてもよい。
【００３５】
さらに、上記実施の形態では、広告依頼主の住所から停留所を検索し、その停留所を運行ルートとするバス６の種類（系統）を抽出するようにしているが、停留所からバス６の系統を抽出することなく、直接広告依頼主の住所からその近傍を通過するバス６の種類を抽出するようにしてもよい。また、上記実施の形態では、広告依頼主の住所から停留所を検索する場合、経度緯度などの座標から近くの停留所を検索するようにしているが、広告店舗数が少ない場合などにおいては、停留所の抽出やバス６の種類の抽出作業を手作業で行うようにしてもよい。この場合においては、管理コンピューター３のオペレーターは、広告依頼主から依頼を受けた店舗から近くの停留所を地図上で探し出し、近くの停留所と、その停留所を運行ルートとするバス６の系統を入力する。
【００３６】
加えて、上記実施の形態では、バス６の表示装置４に広告情報を表示させる場合、近くの店舗の広告情報といっても進行方向に沿って右側の店舗か左側の店舗かを知ることができない。このため、満遍なく広告情報を見ていると近くの店舗の広告情報であると気付かない場合がある。そこで、バス６の進行方向に沿って右側に存在する店舗であるか左側に存在する店舗であるかの表示を広告情報に付加するようにしてもよい。このような情報としては、例えば、「この広告は右側に見える店舗○○の広告です」などの文字情報や、矢印などの情報などが考えられる。店舗の左右位置を検出する方法としては、例えば、停留所間の進行方向ベクトルと、発車基の停留所と店舗のベクトルを計算し、そのベクトルのなす角度を計算することによって左右いずれの方向にあるかを検出することができる。この場合、進行方向ベクトルとのなす角度がプラスである場合は、進行方向に沿って左側に存在することになり、また、進行方向ベクトルとのなす角度がマイナスである場合は、進行方向に沿って右側に存在することになる。もちろん、これ以外の方法で左右方向を検出してもよく、あるいは、オペレーターの手作業などによって左右いずれに存在するかを入力できるようにしてもよい。
【００３７】
また、上記実施の形態においてバスの後部面に取り付けられたディスプレイ４１に広告を表示する場合、後続車が広告に気を取られて運転操作を誤る可能性がある。このため、ディスプレイ４１の前面あるいは一部分をブレーキやウィンカーと連動させ、バスの運転手がブレーキやウィンカーを操作させた場合は、その操作状態をディスプレイ４１に表示させるようにしてもよい。
【００３８】
また、上記実施の形態では、バスの運行スケジュールに従って広告を表示するようにしているが、近年、バスが停留所に近付くタイミングを知らせる際に用いられている接近信号を用いるようにしてもよい。この接近信号は、バスがどの程度停留所に近付いたかを停留所に知らせるものであるが、この接近状態を知らせる運行信号を運行スケジュールとして広告を出力するタイミングに使用するようにしてもよい。
【図面の簡単な説明】
【００３９】
【図１】本発明の一実施の形態における広告システムの概要を示す図
【図２】同形態における広告システムのクライアントコンピューター、管理コンピューター、表示装置の機能を示す図
【図３】同形態におけるクライアントコンピューターに表示される広告情報を入力するための画面構成例
【図４】同形態におけるバスの運行ルートと店舗の位置関係を示す図
【図５】同形態における表示装置の記憶部に記憶された情報を示す図
【図６】同形態における広告システムを用いて広告を行うまでの流れを示すフローチャート
【図７】同形態における表示装置で広告情報を出力する場合のフローチャート
【符号の説明】
【００４０】
１・・・広告システム
２・・・クライアントコンピューター
２１・・・入力部
２２・・・表示部
２３・・・通信部
３・・・管理コンピューター
３１・・・広告受付部
３２・・・記憶部
３３・・・停留所検索部
３４・・・種類抽出部
３５・・・出力部
４・・・表示装置
４１・・・ディスプレイ
４２・・・出力装置
４３・・・記憶媒体
５・・・インターネット回線網
６・・・旅客輸送手段（バス）
Ａ・・・停留所
Ｂ・・・店舗
【図１】
2008145719.tif 000003
【図２】
2008145719.tif 000004
【図３】
2008145719.tif 000005
【図４】
2008145719.tif 000006
【図５】
2008145719.tif 000007
【図６】
2008145719.tif 000008
【図７】
2008145719.tif 000009